【手続補正書】
【提出日】平成18年9月22日(2006.9.22)
【手続補正１】
【補正対象書類名】明細書
【補正対象項目名】発明の名称
【補正方法】変更
【補正の内容】
【発明の名称】画像形成装置・容器
【手続補正２】
【補正対象書類名】明細書
【補正対象項目名】特許請求の範囲
【補正方法】変更
【補正の内容】
【特許請求の範囲】
【請求項１】
トナーとキャリアとからなる現像剤を用いて像担持体の現像を行う現像装置と、この現像装置から排出される現像剤を回収する現像剤回収器とを有し、上記現像装置が上記現像剤回収器へ現像剤を排出する排出口を有し、上記現像剤回収器が上記排出口から排出される現像剤を受け入れる受入口を有し、上記現像装置と上記現像剤回収器とのうち少なくとも上記現像剤回収器が画像形成装置本体に対して着脱可能な画像形成装置において、
上記現像装置と上記現像剤回収器とが画像形成装置本体に装着された状態で上記受入口が上記排出口の下方に位置することを特徴とする画像形成装置。
【請求項２】
トナーとキャリアとからなる現像剤を用いて像担持体の現像を行う現像装置と、この現像装置から排出される現像剤を回収する現像剤回収器とを有し、上記現像装置が上記現像剤回収器へ現像剤を排出する排出口を有し、上記現像剤回収器が上記排出口から排出される現像剤を受け入れる受入口を有し、上記現像装置と上記現像剤回収器とのうち少なくとも上記現像剤回収器が画像形成装置本体に対して着脱可能な画像形成装置において、
画像形成装置本体から上記現像剤回収器又は上記現像装置が離脱した状態で上記排出口を閉鎖する排出口シャッタ部材を有し、この排出口シャッタ部材が、上記排出口を、上記現像剤回収器の画像形成装置本体への着脱方向に非平行な方向に開閉することを特徴とする画像形成装置。
【請求項３】
請求項２記載の画像形成装置において、上記現像装置と上記現像剤回収器とが画像形成装置本体に装着された状態で上記受入口が上記排出口の下方に位置することを特徴とする画像形成装置。
【請求項４】
請求項２又は３の何れか１つに記載の画像形成装置において、上記現像装置が、上記排出口と、上記現像装置本体から上記排出口に向けて現像剤が通過する通過口とを有する現像剤排出部材を有することを特徴とする画像形成装置。
【請求項５】
請求項４記載の画像形成装置において、上記現像剤排出部材は、上記現像装置本体に突設された円筒状の部材であって、その周面に上記排出口と上記通過口とを有し、上記排出口シャッタ部材は、その周面に上記排出口と連通可能な第１の孔と上記通過口と連通可能な第２の孔とを有し、上記現像剤排出部材の内部に上記現像剤排出部材に対して回転自在に設けられた円筒状の部材であることを特徴とする画像形成装置。
【請求項６】
請求項５記載の画像形成装置において、上記現像剤排出部材はその周面に上記現像剤回収器の画像形成装置への着脱方向に非平行な方向に形成された第１の長孔を有し、上記排出口シャッタ部材はその周面に、第１の長孔に摺動可能であって上記現像剤排出部材の周面より突出した摺動部材を有し、上記現像剤回収器は、上記摺動部材と係合可能な第１の係合部材を有し、上記現像剤回収器を上記現像装置が装着された状態の画像形成装置本体に装着するとき、又は、上記現像装置を上記現像剤回収器が装着された状態の画像形成装置本体に装着するときに、上記摺動部材が第１の係合部材に係合し、上記排出口シャッタ部材が回転し、上記現像装置と上記現像剤回収器とが共に画像形成装置本体に装着された状態で、上記排出口と第１の孔とが連通し、上記通過口と第２の孔とが連通することを特徴とする画像形成装置。
【請求項７】
請求項６記載の画像形成装置において、第１の長孔は上記現像剤排出部材の周面に螺旋状に形成されていることを特徴とする画像形成装置。
【請求項８】
請求項６又は７記載の画像形成装置において、上記摺動部材は上記排出口シャッタ部材の周面に螺旋状に形成された突条であることを特徴とする画像形成装置。
【請求項９】
請求項５記載の画像形成装置において、上記現像剤排出部材はその周面に上記現像剤回収器の画像形成装置本体への着脱方向に非平行な方向に形成された第１の長孔を有し、上記排出口シャッタ部材はその周面に、第１の長孔に少なくとも一部が連通可能な係合孔を有し、上記現像剤回収器は、第１の長孔と連通した上記係合孔に係合可能な第１の係合部材を有し、上記現像剤回収器を上記現像装置が装着された状態の画像形成装置本体に装着するとき、又は、上記現像装置を上記現像剤回収器が装着された状態の画像形成装置本体に装着するときに、第１の係合部材が上記孔に係合し、上記排出口シャッタ部材が回転し、上記現像装置と上記現像剤回収器とが共に画像形成装置本体に装着された状態で、上記排出口と第１の孔とが連通し、上記通過口と第２の孔とが連通することを特徴とする画像形成装置。
【請求項１０】
請求項９記載の画像形成装置において、第１の長孔は上記現像剤排出部材の周面に螺旋状に形成されていることを特徴とする画像形成装置。
【請求項１１】
請求項４又は５記載の画像形成装置において、画像形成装置本体から上記現像剤回収器又は上記現像装置が離脱した状態で上記受入口を閉鎖する受入口シャッタ部材を有し、この受入口シャッタ部材が、上記受入口を、上記現像剤回収器の画像形成装置への着脱方向に非平行な方向に開閉することを特徴とする画像形成装置。
【請求項１２】
請求項１１記載の画像形成装置において、上記現像剤排出部材はその周面に上記現像剤回収器の画像形成装置本体への着脱方向に非平行な方向に形成された長孔を有し、上記排出口シャッタ部材は、上記長孔に摺動可能であって上記現像剤排出部材の周面より突出した係合部材を有し、上記現像剤回収器を上記現像装置が装着された状態の画像形成装置本体に装着するとき、又は、上記現像装置を上記現像剤回収器が装着された状態の画像形成装置本体に装着するときに、上記係合部材が上記受入口シャッタ部材に係合し、上記現像装置と上記現像剤回収器とが共に画像形成装置本体に装着された状態で、上記排出口と上記受入口とが連通することを特徴とする画像形成装置。
【請求項１３】
請求項６ないし１０の何れか１つに記載の画像形成装置において、画像形成装置本体から上記現像剤回収器又は上記現像装置が離脱した状態で上記受入口を閉鎖する受入口シャッタ部材を有し、この受入口シャッタ部材が、上記現像剤回収器の画像形成装置本体への着脱方向に非平行な方向に開閉することを特徴とする画像形成装置。
【請求項１４】
請求項１３記載の画像形成装置において、上記現像剤排出部材はその周面に上記現像剤回収器の画像形成装置本体への着脱方向に非平行な方向に形成された第２の長孔を有し、上記排出口シャッタ部材は、第２の長孔に摺動可能であって上記現像剤排出部材の周面より突出した第２の係合部材を有し、上記現像剤回収器を上記現像装置が装着された状態の画像形成装置本体に装着するとき、又は、上記現像装置を上記現像剤回収器が装着された状態の画像形成装置本体に装着するときに、第２の係合部材が上記受入口シャッタ部材に係合し、上記現像装置と上記現像剤回収器とが共に画像形成装置本体に装着された状態で、上記排出口と上記受入口とが連通することを特徴とする画像形成装置。
【請求項１５】
請求項１４記載の画像形成装置において、上記現像剤回収器を上記現像装置が装着された状態の画像形成装置本体に装着するとき、又は、上記現像装置を上記現像剤回収器が装着された状態の画像形成装置本体に装着するときに、上記受入口シャッタ部材が上記受入口を開口した後に、上記排出口と第１の孔とが連通し、上記通過口と第２の孔とが連通することを特徴とする画像形成装置。
【請求項１６】
請求項１４又は１５記載の画像形成装置において、上記現像剤回収器を上記現像装置が装着された状態の画像形成装置本体に装着するとき、又は、上記現像装置を上記現像剤回収器が装着された状態の画像形成装置本体に装着するときに、上記排出口と第１の孔とが連通した後に、上記通過口と第２の孔とが連通することを特徴とする画像形成装置。
【請求項１７】
請求項１４ないし１６の何れか１つに記載の画像形成装置において、第２の長孔が上記排出口であることを特徴とする画像形成装置。
【請求項１８】
請求項６ないし１０の何れか１つ又は請求項１３ないし１７の何れか１つに記載の画像形成装置において、第１の係合部材は、上記受入口に関し、上記受入口に対して上記排出口が相対移動する側の反対側に配設されていることを特徴とする画像形成装置。
【請求項１９】
請求項１ないし１８の何れか１つに記載の画像形成装置において、上記現像装置に現像剤を供給する現像剤供給器を有し、上記現像装置は上記現像剤供給器から現像剤を供給される供給口を有し、この供給口は上記通過口より上位に配設されていることを特徴とする画像形成装置。
【請求項２０】
請求項１９記載の画像形成装置において、上記現像剤供給器と上記現像剤回収器とが一体であることを特徴とする画像形成装置。
【請求項２１】
請求項１ないし２０の何れか１つに記載の画像形成装置において、上記像担持体上に残留したトナーを除去するクリーニング装置と、このクリーニング装置によって除去されたトナーを回収するトナー回収器とを有し、このトナー回収器と上記現像剤回収器とが一体であることを特徴とする画像形成装置。
【請求項２２】
請求項１ないし２１の何れか１つに記載の画像形成装置において、上記現像装置を複数有し、この各現像装置毎に異なる色のトナーを用いて複数色の画像形成を行うことを特徴とする画像形成装置。
【請求項２３】
請求項２２記載の画像形成装置において、上記各現像装置毎に上記現像剤回収器を１つ有することを特徴とする画像形成装置。
【請求項２４】
画像形成装置に用いられる容器であって、トナーとキャリアとを有する現像剤を用いて像担持体の現像を行う現像装置から排出される現像剤と、トナー像の転写時に発生する転写残トナーとを収容することを特徴とする容器。
【手続補正３】
【補正対象書類名】明細書
【補正対象項目名】０００１
【補正方法】変更
【補正の内容】
【０００１】
【発明の属する技術分野】
本発明は、現像剤回収機構を有する電子写真複写機、プリンター、ＦＡＸなどの画像形成装置及び該画像形成装置に用いられる容器に関する。
【手続補正４】
【補正対象書類名】明細書
【補正対象項目名】００３０
【補正方法】変更
【補正の内容】
【００３０】
請求項２３記載の発明は、請求項２２記載の画像形成装置において、上記各現像装置毎に上記現像剤回収器を１つ有することを特徴とする。
請求項２４記載の発明は、画像形成装置に用いられる容器であって、トナーとキャリアとを有する現像剤を用いて像担持体の現像を行う現像装置から排出される現像剤と、トナー像の転写時に発生する転写残トナーとを収容することを特徴とする。